(57)【特許請求の範囲】
【請求項１】
画像入力装置、入力位置検出装置および入力位置表示装置からなる画像表示システムにおいて、該画像入力装置が、絶縁基板の片面導電層と該導電層表面の両端に一対の電極が対向して形成された２枚のパネルをそれぞれの導電層が互いに平行に対向するようにスペーサーを介して配置されてなる描画タブレット、および定電圧および／または定電流電源とからなり、
(1) 前記２枚のパネルのそれぞれの電極と前記定電圧および／または定電流電源とを接続する接続回路、および前記電極が金属微粒子を分散させた樹脂からなり、
(2) 前記２枚のパネルのそれぞれの導電層における電極間の抵抗値をＲL x、ＲL y とし、前記２枚のパネルのそれぞれの電極の抵抗値をＲE x、ＲE y とし、前記２枚のパネルのそれぞれの接続回路の抵抗値をＲC x、ＲC y としたとき、下記（１）、（２）および（３）式を満足することを特徴とする画像表示システム。
0004583517.tif 000005
（ただし、ＲL ＝ＲL x ＋ＲL y 、ＲE ＝ＲE x ＋ＲE y 、ＲC ＝ＲC x ＋ＲC y であり、ｎは導電層の電極間距離Ｌを入力位置表示装置の表示画面のドット幅１／Ｄｎ で割った分割数、すなわちｎ＝Ｌ／（１／Ｄｎ ）であり、Ｄｎ は１ｍｍ当たりのドット数。）
【発明の詳細な説明】
【０００１】
【発明の技術分野】
本発明は、ペンタッチ画像入力および表示用として好適な画像表示システムに関し、さらに詳しくは消費電力が低く、表示ずれを生じることが少なく、表示ずれを矯正するための補正も少なくてすむ画像表示システムに関する。
【０００２】
【発明の技術的背景】
従来、画像表示システム用の画像入力装置に用いられる描画タブレットとしては、図１に例示するようなアナログ型の描画タブレットが知られている。
【０００３】
この描画タブレット１は、Ｘ座標読み取りパネル２と、Ｙ座標読み取りパネル３とを具備し、Ｘ座標読み取りパネル２の片面およびＹ座標読み取りパネル３の片面には、それぞれ導電層４x および４y が形成されている。
【０００４】
このＸ座標読み取りパネル２の片面に形成された導電層４x 表面には、その両端に一対のＸ座標読み取り電極５x1 、５x2 が対向して形成されている。また、Ｙ座標読み取りパネル３の片面に形成された導電層４y 表面にも、その両端に一対のＹ座標読み取り電極５y1 、５y2 が対向して形成されている。
【０００５】
そして、描画タブレット１では、Ｘ座標読み取りパネル２の片面に形成された導電層４x と、Ｙ座標読み取りパネル３の片面に形成された導電層４y とが絶縁性スペーサ（図示せず）を介して互いに略平行に対向している。また、描画タブレット１において、Ｘ座標読み取り電極５x1 、５x2 とＹ座標読み取り電極５y1、５y2 とが互いに直交するようにして配置されている。
【０００６】
このような描画タブレット１においては、Ｘ座標読み取り電極５x1 、５x2 およびＹ座標読み取り電極５y1 、５y2 とがそれぞれ接続回路６x1 、６x2 および接続回路６y1 、６y2 によりアナログスイッチ７を介して定電圧および／または定電流電源８に接続されている。さらに、画像入力装置はＡ／Ｄコンバーター９およびＣＰＵ１０からなる入力位置検出装置１１および入力位置表示装置１２に接続され、これにより画像表示システムが構成されている。
【０００７】
アナログ型の位置座標読みとり方式に於ける入力座標の検出方法には電圧切り替え方式と電流分割方式があるが、ここでは電圧切り替え方式の場合について説明する。定電圧（定電流）電源８を印加すると、アナログスイッチ７の高速切替えが繰り返されることにより、定電圧電源８がＸ座標読み取り電極５x1 、５x2 に電気的に接続され、かつＹ座標読み取り電極５y1 、５y2 が入力位置検出装置位置１１に電気的に接続された状態と、定電圧電源８がＹ座標読み取り電極５y1、５y2 に電気的に接続され、かつＸ座標読み取り電極５x1 、５x2 が入力位置検出装置１１に電気的に接続された状態とが高速で交互に繰り返される。
【０００８】
このように画像表示システムを駆動した状態で入力用ペンで描画タブレット１のＸ座標読み取りパネルの表面を押圧すると、Ｘ座標読み取りパネル２の導電層４ｘ と、Ｙ座標読み取りパネルの導電層４ｙ とがＡ（Ｌx ，Ｌy ）点で接触して導通する。
【０００９】
このような状態でＸ座標読みとり電極に定電圧が印加されるとＸ座標読みとりパネル全体に定電圧が印加され、Ｘ座標によって分配されたＡ点に掛かる電圧（Ｘ座標）が、導通したＡ点を通してＹ座標読み取りパネルに掛かり、この電圧（Ｘ座標）が入力位置検出装置１１で検出される。
【００１０】
次いでＹ座標読みとり電極に定電圧が印加されるとＹ座標読みとりパネル全体に定電圧が印加され、Ｙ座標によって分配されたＡ点に掛かる電圧（Ｙ座標）が、導通したＡ点を通してＸ座標読み取りパネルに掛かり、この電圧（Ｙ座標）が入力位置検出装置１１で検出されることにより、Ａ点の位置座標（Ｌx ，Ｌy ）が検出されるようになっている。
【００１１】
上記のような画像入力装置では、描画タブレット１によっては画像入力の際に必要とされる消費電力が大きくなり過ぎたり、あるいは画像入力装置を駆動した状態で入力用ペンで描画タブレット１表面を押圧しても、この押圧点の位置が入力位置検出装置によって正確に検出できない場合があるといった問題点があった。
【００１２】
このような問題点を解決した描画タブレットとして、本願発明者らは先に特開平７−１０４９０９号で、導電層の電極間抵抗値を所定の範囲に制御することを提案している。
【００１３】
ところで、このような描画タブレットでは、従来、導電層に形成される電極あるいは電極とアナログスイッチを接続する接続回路は、純粋な金属、例えば金、銀等で形成されていた。しかしながら、金属は抵抗が小さく、延展性に優れているものの、透明性、接着性、強度、耐候性（耐環境性）に劣り、さらに微細な回路、膜等が形成しにくいという問題点があった。
【００１４】
このため、金属に比べて抵抗が大きくなる欠点はあるが銀などの金属微粒子を樹脂に分散させたペーストを用いて、フィルム等の基板上に印刷することにより電極あるいは接続回路を形成する方法がとられている。
【００１５】
このような金属微粒子分散樹脂で形成された電極および接続回路の抵抗値は導電層の抵抗値に比較すれば小さいが、無視できない値である。そこで、これらの抵抗値をできるだけ小さくする必要がある。
【００１６】
しかしながら、電極の抵抗値および接続回路の抵抗値を所定の範囲に制御しても、導電層抵抗値に対する電極抵抗値および／または接続回路抵抗値の比が大きい場合は、押圧点のＸ座標およびＹ座標と表示装置の表示位置に表示ずれが生じることがある。さらに、これら電極および接続回路の抵抗値が使用環境の変化（例えば温度変化）や経時的に変化した場合も同様の表示ずれが生じ、正確な座標の検出ができない場合があった。
【００１７】
例えば、図２に示したように画像入力ペンの押圧位置の違いにより電極の抵抗（ＲE x ）が異なり、タブレットの端部になるほど電極の抵抗が増し、表示ずれの原因となることがあった。このような表示ずれは、表示装置の表示画面が小さい場合は生じにくいものの、表示画面が大きくなると表示ずれが顕著となり、またとくに画素密度の高い高精度表示には表示ずれが生じやすく、不向きであるという欠点がある。
【００１８】
このため、入力位置と表示位置が一致するように、製品出荷時に初期抵抗補正が施されている。また、導電層、電極および接続回路の各抵抗値は、経時的にあるいは使用環境などにより変化し表示ずれを生じることがあるため、使用時にタブレットの導電層における複数の点で抵抗補正ができるプログラムソフトが組み込まれている場合がある。
【００１９】
ところで画像表示システムの表示精度を高めるためには、前記補正点は多い方が好ましいが、このためにコンピュータの容量が多くなったり、初期抵抗補正を行う場合に、時間とコストがかかるなど問題があった。また使用時の抵抗補正は利便性の点で問題でもあった。
【００２０】
【発明の目的】
本発明は、上記のような問題点を解決しようとするものであって、入力用ペンで押圧されている描画タブレット表面の位置座標が低消費電力で検出し、表示することができるとともに、大画面の表示装置においても表示ずれを生じることが少なく、しかも抵抗補正の必要も少なく高精度で画像入力および表示が行なうことが可能な画像表示システムを提供することを目的としている。
【００２１】
【発明の概要】
本発明に係る画像表示システムは、画像入力装置、入力位置検出装置および入力位置表示装置からなるもので、前記画像入力装置が、絶縁基板の片面に導電層と該導電層表面の両端に一対の電極が対向して形成された２枚のパネルをそれぞれの導電層が互いに平行に対向するようにスペーサーを介して配置されてなる描画タブレット、および定電圧および／または定電流電源とからなり、
(1) 前記２枚のパネルのそれぞれの電極と前記定電圧および／または定電流電源とを接続する接続回路、および前記電極が金属微粒子を分散させた樹脂からなり、
(2) 前記２枚のパネルのそれぞれの導電層における電極間の抵抗値をＲL x、ＲL y とし、前記２枚のパネルのそれぞれの電極の抵抗値をＲE x、ＲE y とし、前記２枚のパネルのそれぞれの接続回路の抵抗値をＲC x、ＲC y としたとき、下記（１）、（２）および（３）式を満足することを特徴とするものである。
【００２２】
0004583517.tif 000002
（ただし、ＲL ＝ＲL x ＋ＲL y 、ＲE ＝ＲE x ＋ＲE y 、ＲC ＝ＲC x ＋ＲC y であり、
ｎは導電層の電極間距離Ｌを入力位置表示装置の表示画面のドット幅１／Ｄｎで割った分割数、すな わちｎ＝Ｌ／（１／Ｄｎ ）であり、Ｄｎ は入力位置表示装置の１ｍｍ当たりのドット数。）
【００２３】
【発明の具体的説明】
以下、本発明に係る画像表示システムについて図面を用いて具体的に説明する。  本発明に係る画像表示システムは、描画タブレット１およびアナログスイッチ７を含む定電圧電源８からなる画像入力装置、入力位置検出装置１１および入力位置表示装置１２から構成されている。このうち、入力位置検出装置１１および入力位置表示装置１２は、従来から用いられているもので、Ａ／Ｄコンバーター９、ＣＰＵ１０から構成された入力位置検出装置および液晶表示パネル等で構成された表示装置が用いられている。
【００２４】
まず、画像入力装置を構成している描画タブレットについて説明する。
本発明で用いられる描画タブレット１は、形状およびサイズが互いに等しいＸ座標読み取りパネル２と、Ｙ座標読み取りパネル３とを具備し、Ｘ座標読み取りパネル２の片面に導電層４x およびＸ座標読み取り電極５x1 、５x2 が順次形成され、Ｙ座標読み取りパネル３の片面に導電層４y およびＹ座標読み取り電極５y1 、５y2 が順次形成されている。
【００２５】
さらに、Ｘ座標読み取り電極５x1 、５x2と定電圧電源８のアナログスイッチ７を接続する接続回路６x1 、６x2が形成されており、同様にＹ座標読み取り電極５y1 、５y2と定電圧電源８のアナログスイッチ７を接続する接続回路６y1 、６y2が形成されている。
【００２６】
Ｘ座標読み取りパネル２およびＹ座標読み取りパネル３のうちの一方、例えばＸ座標読み取りパネル２は、通常、可撓性を有する材料、たとえばポリエチレンテレフタレートフィルム（以下、ＰＥＴフィルムという。）のような透明プラスチックフィルムからなっている。
【００２７】
このＸ座標読み取りパネル２の好ましい厚さは、ペン入力の点から導電層４xの厚さを含めて５０μｍ〜１ｍｍである。
また、Ｙ座標読み取りパネル３は、可撓性であっても剛直であってもよい基板、例えばガラス基板からなっている。
【００２８】
これらの導電層４x および導電層４y は、通常、１×１０-4〜１×１０-1Ω・ｃｍ、好ましくは２×１０-4〜４×１０-2Ω・ｃｍの体積抵抗率を有し、かつ０．０１〜０．２μｍ、好ましくは０．０２〜０．０８μｍの膜厚を有している。
【００２９】
上記のような体積抵抗率を有する導電層４x および導電層４y は、例えばスパッター法等でＩＴＯなどの導電性物質からなる薄膜をＸ座標読み取りパネル２の片面およびＹ座標読み取りパネル３の片面に形成することによって得ることができる。
【００３０】
導電層４x および導電層４y のそれぞれの両端に形成されている、Ｘ座標読み取り電極５x1 、５x2およびＹ座標読み取り電極５y1 、５y2 の電極材料としては、銀などの金属微粒子が分散した樹脂が用いられている。
【００３１】
このような電極の形成法としては、上記の金属微粒子を樹脂に分散させたペ−ストを用いて導電層形成面の両端部に印刷する方法が一般的である。
Ｘ座標読み取り電極５x1 、５x2とアナログスイッチ７とを接続する接続回路６x1、６x2、およびＹ座標読み取り電極５y1 、５y2とアナログスイッチ７とを接続する接続回路６y1 、６y2も、電極と同様に金属微粒子分散樹脂のペ−ストを用いて、通常は導電層が形成されている基板の同一面上に印刷法で形成される。
【００３２】
本発明に係る画像入力装置において、描画タブレットのＸ座標読み取りパネル２およびＹ座標読み取りパネル３における、それぞれの導電層の電極間の抵抗値と電極の抵抗値と接続回路の抵抗値の合計値は、１００〜５０００Ωの範囲にあることが好ましい。すなわち、Ｘ座標読み取りパネル２の導電層の電極間の抵抗をＲL ｘとし、電極５x1 と５x2 の合計抵抗値をＲE ｘとし、電極とアナログスイッチとの接続回路６x1、６x2の合計抵抗値をＲC ｘとするとき、下記（１）式を満足していることが好ましい。
【００３３】
ＲL ｘ＋ＲE ｘ＋ＲC ｘ＝１００〜５，０００Ω    （１）
同様に、Ｙ座標読み取りパネル３でも、導電層の電極間の抵抗をＲL ｙし、電極５y1 と５y2 の合計抵抗値をＲE ｙとし、電極とアナログスイッチとの接続回路６y1 、６y2の合計抵抗値をＲC ｙとするとき、下記（２）式を満足していることが好ましい。
【００３４】
ＲL ｙ＋ＲE ｙ＋ＲC ｙ＝１００〜５，０００Ω      （２）
これらの全抵抗値が１００Ω未満の場合には、これらの電極間を流れる電流値によって描画タブレットで過大な電力が消費され、逆に５，０００Ωを越える場合には、これらの電極間にほとんど電流が流れず、さらに導電層の接触抵抗が大きくなり、接触抵抗によるノイズが激しくなり、例えば図１におけるＡ／Ｄコンバーター９およびＣＰＵ１０を経て検出される入力信号とノイズとの区別がつかなくなったり、あるいは検出される座標位置に位置ずれが生じたりするようになる。
【００３５】
本発明においては、画像入力装置におけるそれぞれのパネルの導電層抵抗値、電極抵抗値および接続回路抵抗値の合計抵抗値が１００〜５，０００Ωの範囲となるように、導電層４x 、導電層４y を形成する導電性材料および導電層の膜厚が選定されると同時に、導電層の電極間距離、電極や接続回路の材料、形成する電極や接続回路の幅および長さが設定される。
【００３６】
なお、Ｘ座標読み取りパネルの合計抵抗値と、Ｙ座標読み取りパネルの合計抵抗値とは、それぞれが１００〜５，０００Ωの範囲にあればよく、互いに異なる値であっても差支えない。
【００３７】
さらに、本発明においては前記のＸ座標読み取りパネルおよびＹ座標読み取りパネルにおけるそれぞれの導電層の電極間の抵抗値をＲL x、ＲL y とし、それぞれの電極の合計抵抗値をＲE x、ＲE y とし、それぞれの接続回路の合計抵抗値をＲC x、ＲC y としたとき、下記（３）式を満足することを特徴とするものである。
【００３８】
（ＲE ＋ＲC ）／ＲL ≦３／ｎ                      （３）
（ただし、ＲL ＝ＲL x ＋ＲL y 、ＲE ＝ＲE x ＋ＲE y 、ＲC ＝ＲC x ＋ＲC y であり、
ｎは導電層の電極間距離Ｌを表示装置のドット幅１／Ｄｎ で割った分割数、
すなわちｎ＝Ｌ／（１／Ｄｎ ）であり、Ｄｎ は１ｍｍ当たりのドット数。）
本発明で用いられる描画タブレットにおいては、導電層の抵抗値に対する電極の抵抗と接続回路の抵抗の合計抵抗値が小さく、特定の範囲内にある。
【００３９】
（ＲE ＋ＲC ）／ＲL が３／ｎよりも大きい場合、画像入力装置における入力位置と表示装置における表示位置とに表示ずれが観察され、特に高精度表示、大画面表示の場合にはこの表示ずれが顕著に目立ってくることがある。
【００４０】
さらに、本発明に用いられる描画タブレットの導電層においては、導電層全面にわたってその抵抗は均一である。すなわち、一方の電極端から他の電極端の方向に向かって抵抗を測定したとき、その抵抗は電極端からの距離に比例して直線的に増加する。この直線からのずれ、すなわち直線性の相関係数は、通常、0.95〜1.0の範囲にある。
【００４１】
このような直線性の相関係数は、次のような方法で算出される。
導電層の幅（電極が形成されている側）の長さを１０分割したときの９点から、対応する導電層への最短直線上を５mm間隔で抵抗を測定する（図３）。そのとき各分割したときの点における電極端からの距離（ｒi）とｒiにおける抵抗（Ｒi）としたとき、抵抗の直線性の相関係数を次式により算出する。こうして得られた９つ相関係数の平均を求める。
【００４２】
【数１】
0004583517.tif 000003
【００４３】
【発明の効果】
本発明に係る画像表示システムにおいては、画像入力装置の描画タブレットにおけるそれぞれのパネルの導電層抵抗値と電極抵抗値と接続回路抵抗値の全抵抗値が１００〜５，０００Ωの範囲にある。さらに電極抵抗値と接続回路抵抗値の合計抵抗値と導電層抵抗値の抵抗比が小さい。従って、入力用ペン等で押圧されている描画タブレット表面の入力位置座標が低消費電力で検出されるとともに、入力位置と表示位置のずれが生じ難く、抵抗補正が少なくて済み、大画面表示あるいは高精度表示が可能である。
【００４４】
【実施例】
以下、本発明を実施例により説明するが、本発明はこれら実施例に限定されるものではない。
【００４５】
【実施例１】
ＰＥＴフィルムの片面に、横約１０ｃｍ、縦約１１ｃｍのＩＴＯ膜からなる導電層をスパッタ法で形成した。さらに、この導電層の周囲に絶縁ペースト（旭化学研究所製  ＣＲ−４２０Ｇ１）を用いて、スクリーン印刷法で絶縁層を形成した。  次に、ＩＴＯ膜上の縦両端部に長さ１０ｃｍ、幅５ｍｍの１対の電極（５x1、５x2）を形成し、この電極の中央よりそれぞれ長さ２０ｃｍ、幅３ｍｍ、および長さ３０ｃｍ，幅３ｍｍの接続回路（６x1および６x2）を、銀ペースト（藤倉化成製：ドータイトＦＡ３０１ＣＡ）を使用してスクリーン印刷法で前記絶縁層上に形成することにより、Ｘ座標読み取り電極間距離（Ｌ）が１０ｃｍ、導電層抵抗値（ＲLx）が４０００Ω、電極抵抗値（ＲEx）が１. ０Ω（０. ５Ω×２）、接続回路抵抗値（ＲCx）が７. ５Ω（３. ０Ω＋４. ５Ω）であるＸ座標読み取りパネルを作成した。
【００４６】
次に、ガラス基板の片面に上記のＸ座標読み取りパネルと同様の方法で、ＩＴＯ膜からなる横１０ｃｍ、縦１１ｃｍの導電層、および長さ１３ｃｍ、幅１ｃｍの１対の電極（５y1、５y2）、長さ２０ｃｍ、幅３ｍｍおよび長さ３０ｃｍ，幅３ｍｍの接続回路（６y1および６y2）を形成することにより、Ｙ座標読み取り電極間距離（Ｌ）が１０ｃｍ、導電層抵抗値（ＲLy）が４０００Ω、電極抵抗値（ＲEy）が０. ５Ω（０. ２５Ω×２）、接続回路抵抗値（ＲCy）が７. ５Ω（３. ０Ω＋４. ５Ω）であるＹ座標読み取りパネルを作成した。
【００４７】
上記のようにして作成したＸ座標読み取りパネルおよびＹ座標読み取りパネルの導電層について、それぞれの抵抗の直線性の相関係数を求めた。
さらに、このＹ座標読み取りパネルのＩＴＯ膜上にスクリーン印刷法により直径１００μｍ、高さ１５μｍの絶縁性ドットスペーサを５ｍｍのピッチで形成した。
【００４８】
以上のようにして得られた絶縁性ドットスペーサ付Ｙ座標読み取りパネルの上に、Ｘ座標読み取りパネルを、図１に示すようにＸ座標読み取り電極とＹ座標読み取り電極とが互いに直交し、それぞれの導電層が互いに対向するように、枠スペ−サ−を介して配置し、描画タブレットを組み立てた。
【００４９】
このようにして得られた描画タブレットは、アナログスイッチ７を介して定電圧定電流電源８と接続し、画像入力装置を組み立てた。この画像入力装置を、Ａ／Ｄコンバーター９およびＣＰＵ１０からなる入力位置検出装置、およびドット数３個／ｍｍの液晶表示画面を有する入力位置表示装置に接続した。このとき、前記の液晶表示画面の上に描画タブレットを重ね合わせ、描画タブレットの上から液晶表示画面が見えるように組み立てて、画像表示システムを構成した。
【００５０】
まず、５Ｖの電圧を描画タブレットに印加し、入力位置と表示位置が一致するような補正を行った場合と補正を行わない場合とについて、入力用ペンの先端で描画タブレット表面を押圧して押圧点のＸ座標およびＹ座標と、表示された液晶表示画面のＸ座標およびＹ座標との表示ズレ、すなわち入力位置に対する表示位置のズレを観察した。
観察方法Ａ：入力位置と表示位置を拡大鏡で観察。
【００５１】
表示ズレのあるもの：×
表示ズレのないもの：○
観察方法Ｂ：入力位置と表示位置をパネルから５０ｃｍ離れた距離から目視観察。
【００５２】
表示ズレのあるもの：×
表示ズレのないもの：○
さらに、経時変化テストとして、テスト開始後途中で補正することなく６月間稼働状態とした後に前記の観察方法Ａにより表示ズレを観察した。
【００５３】
表示ズレのあるもの：×
表示ズレのないもの：○
結果を表１に示す。
消費電力の測定
また、前記したＸ座標読み取りパネルおよびＹ座標読み取りパネルに５Ｖの電圧を印加して、電極間を流れる電流を測定し、各パネル（接続回路を含む）の消費電力を算出した。
【００５４】
結果を表１に示す。
【００５５】
【実施例２】
Ｘ座標読み取りパネルおよびＹ座標読み取りパネルの導電層の抵抗値がそれぞれ２８００Ωである以外は、実施例１と同様のパネルを作成した。
【００５６】
これらのパネルにおけるそれぞれの抵抗の直線性の相関係数を算出し、実施例１と同様に描画タブレットを組み立て、表示位置のズレを観察し、経時変化テストおよび消費電力の測定を行った。
【００５７】
結果を表１に示す。
【００５８】
【実施例３】
Ｘ座標読み取りパネルおよびＹ座標読み取りパネルの導電層の抵抗値をそれぞれ４００Ωとし、それぞれの電極抵抗値、接続回路抵抗値が表１に示すものとした以外は実施例１と同様にして各パネルを作成した。
【００５９】
これらのパネルにおけるそれぞれの抵抗の直線性の相関係数を算出し、実施例１と同様に描画タブレットを組み立て、表示位置のズレを観察し、経時変化テストおよび消費電力の測定を行った。
【００６０】
結果を表１に示す。
【００６１】
【実施例４】
Ｘ座標読み取りパネルおよびＹ座標読み取りパネルの導電層の抵抗値、電極抵抗値、接続回路抵抗値が表１に示すものとした以外は実施例１と同様にして各パネルを作成した。
【００６２】
これらのパネルにおけるそれぞれの抵抗の直線性の相関係数を算出し、実施例１と同様に描画タブレットを組み立て、表示位置のズレを観察し、経時変化テストおよび消費電力の測定を行った。
【００６３】
結果を表１に示す。
【００６７】
【比較例２】
Ｘ座標読み取りパネルおよびＹ座標読み取りパネルの導電層の抵抗値がそれぞれ４００Ωである以外は、実施例１と同様のパネルを作成した。
【００６８】
これらのパネルおけるそれぞれの抵抗の直線性の相関係数を算出し、実施例１と同様に描画タブレットを組み立て、表示位置のズレを観察し、経時変化テストおよび消費電力の測定を行った。
【００６９】
結果を表１に示す。
【００７０】
【比較例３】
Ｘ座標読み取りパネルおよびＹ座標読み取りパネルの導電層の抵抗値がそれぞれ  ８０Ωである以外は、実施例１と同様のパネルを作成した。
【００７１】
これらのパネルにおけるそれぞれの抵抗の直線性の相関係数を算出し、実施例１と同様に描画タブレットを組み立て、表示位置のズレを観察し、経時変化テストおよび消費電力の測定を行った。
【００７２】
結果を表１に示す。
【００７３】
【比較例４】
Ｘ座標読み取りパネルの導電層の抵抗値が２００Ω、Ｙ座標読み取りパネルの導電層の抵抗値が８００Ωである以外は、実施例１と同様のパネルを作成した。
【００７４】
これらのパネルおけるそれぞれの抵抗の直線性の相関係数を算出し、実施例１と同様に描画タブレットを組み立て、表示位置のズレを観察し、経時変化テストおよび消費電力の測定を行った。
【００７５】
結果を表１に示す。
【００７６】
【表１】
0004583517.tif 000004
【図面の簡単な説明】
【図１】本発明に係る画像表示システムおよび画像入力装置に用いられる描画タブレットを説明するための図面である。
【図２】画像入力ペンの押圧位置の違いによる表示ずれを表す模式図である。
【図３】直線性の相関係数の測定点を示す。
【符号の説明】
１    …描画タブレット
２    …Ｘ座標読み取りパネル
３    …Ｙ座標読み取りパネル
４x   …Ｘ座標導電層
４y   …Ｙ座標導電層
５x1  …Ｘ座標読み取り電極
５x2  …Ｘ座標読み取り電極
５y1  …Ｙ座標読み取り電極
５y2  …Ｙ座標読み取り電極
６x1、６x2  …Ｘ座標読み取り電極とアナログスイッチ接続回路
６y1、６y2  …Ｙ座標読み取り電極とアナログスイッチ接続回路
７    …アナログスイッチ
８    …定電圧定電流電源
９    …Ａ／Ｄコンバーター
１０    …ＣＰＵ
１１  …入力位置検出装置
１２  …入力位置表示装置
【図１】
0004583517.tif 000006
【図２】
0004583517.tif 000007
【図３】
0004583517.tif 000008